(57)【特許請求の範囲】
【請求項１】
エンジンＥの動力をミッションケース１内の変速伝動機構１６を経て走行車輪２及び刈取入力軸１３へ伝動すると共に、この刈取入力軸１３を経て、穀稈引起装置３へ伝動の引起軸４、刈刃装置５へ伝動の刈刃軸６、刈取穀稈掻込装置７へ伝動の掻込軸８、穀稈集束パッカ９へ伝動のパッカ軸１０、及び結束装置１１へ伝動の結束軸１２等を有するバインダにおいて、これらミッションケース１の出力軸１４と前記刈取入力軸１３との間に、標準刈取速から高速刈取速に変速できる刈取変速装置１５を設けて、該刈取変速装置１５を変速伝動ケ−ス２５内に設け、刈取伝動ケ−ス２６には前記刈取入力軸１３からチェン伝動される刈刃軸６及びパッカ軸１０を設け、引起軸４を伝動ケ−ス２７内から連動する構成とし、パッカ軸１０は結束伝動ケ−ス３６上方においてパッカ−９を有し該パッカ−軸１０から掻込軸８及び結束軸１２を伝動する構成とし、前記ミッションケ−ス１の前端からパイプフレ−ム２４を介在させて前記変速伝動ケ−ス２５を連結し、該変速伝動ケ−ス２５と車輪２の前部下側に位置する刈取伝動ケ−ス２６との間を伝動ケ−ス２７で連結し、前記刈取伝動ケ−ス２６の一側に結束伝動ケ−ス３６を設け、該結束伝動ケース３６とは反対の側の分草杆４４を前記刈取伝動ケース２６の横端部から前方側方へ向けて斜めの角度θを有して突出させるように形成して刈刃装置５の横端部の下面を通り前方へ突出する構成とし、結束部３８のパッカ９側に集束穀稈に結束紐４９を巻きつけるニードル４１を設け、この反対側にプラットホーム４５と該プラットホーム４５で覆われる結節装置４２とを設け、前記プラットホーム４５の結束紐案内溝４６の上側縁部に沿ってピアノ線の如き弾性線によって構成した摩耗防止線５１を設け、該摩耗防止線５１の基端部をボルト５４でプラットホ−ム４５に固定する一方、該摩耗防止線５１の先端部４７をプラットホーム４５終端４８の内側へ曲げて自由端としてプラットホ−ム４５の終端部に形成した切欠部５６に嵌合させたことを特徴とするバインダ。
【発明の詳細な説明】
【発明の属する技術分野】
【０００１】
この発明は、バインダに関する。
【従来の技術、および発明が解決しようとする課題】
【０００２】
走行速と刈取速と同期変速する形態では、刈取速が一定速以下に減速できないために、走行速を下げたときは、刈取速がその一定速以下に減速されないように減速制限するか、又は調整する必要がある。この発明は、操作及び構成共に簡単なバインダの伝動装置とするものである。
【課題を解決するための手段】
【０００３】
この発明は、エンジンＥの動力をミッションケース１内の変速伝動機構１６を経て走行車輪２及び刈取入力軸１３へ伝動すると共に、この刈取入力軸１３を経て、穀稈引起装置３へ伝動の引起軸４、刈刃装置５へ伝動の刈刃軸６、刈取穀稈掻込装置７へ伝動の掻込軸８、穀稈集束パッカ９へ伝動のパッカ軸１０、及び結束装置１１へ伝動の結束軸１２等を有するバインダにおいて、これらミッションケース１の出力軸１４と前記刈取入力軸１３との間に、標準刈取速から高速刈取速に変速できる刈取変速装置１５を設けて、該刈取変速装置１５を変速伝動ケ−ス２５内に設け、刈取伝動ケ−ス２６には前記刈取入力軸１３からチェン伝動される刈刃軸６及びパッカ軸１０を設け、引起軸４を伝動ケ−ス２７内から連動する構成とし、パッカ軸１０は結束伝動ケ−ス３６上方においてパッカ−９を有し該パッカ−軸１０から掻込軸８及び結束軸１２を伝動する構成とし、前記ミッションケ−ス１の前端からパイプフレ−ム２４を介在させて前記変速伝動ケ−ス２５を連結し、該変速伝動ケ−ス２５と車輪２の前部下側に位置する刈取伝動ケ−ス２６との間を伝動ケ−ス２７で連結し、前記刈取伝動ケ−ス２６の一側に結束伝動ケ−ス３６を設け、該結束伝動ケース３６とは反対の側の分草杆４４を前記刈取伝動ケース２６の横端部から前方側方へ向けて斜めの角度θを有して突出させるように形成して刈刃装置５の横端部の下面を通り前方へ突出する構成とし、結束部３８のパッカ９側に集束穀稈に結束紐４９を巻きつけるニードル４１を設け、この反対側にプラットホーム４５と該プラットホーム４５で覆われる結節装置４２とを設け、前記プラットホーム４５の結束紐案内溝４６の上側縁部に沿ってピアノ線の如き弾性線によって構成した摩耗防止線５１を設け、該摩耗防止線５１の基端部をボルト５４でプラットホ−ム４５に固定する一方、該摩耗防止線５１の先端部４７をプラットホーム４５終端４８の内側へ曲げて自由端としてプラットホ−ム４５の終端部に形成した切欠部５６に嵌合させたことを特徴とするバインダの構成とする。
【作用、及び発明の効果】
【０００４】
エンジンＥの駆動によって、ミッションケース１内の変速伝動機構１６を経て走行車輪２へ伝動されると共に出力軸１４及び刈取入力軸１３側へ伝動される。変速伝動機構１６の変速操作で走行車輪２による走行速と刈取入力軸１３による刈取速とは一定の関係とに同調変速されて、走行速が高速になれば刈取速も高速になる。
【０００５】
これら出力軸１４から刈取入力軸１３への伝動は、刈取変速装置１５によって変速することができる。通常は標準刈取速にあるが、穀稈が倒伏しているときは、高速刈取速に変速することによって、穀稈引起装置３等の伝動速度が高速となって、走行速に対する刈取速が高速となり、特に、穀稈引起装置３における引起を的確で円滑に行わせることができ、しかも、走行速が低速であっても同じように引起すことができる。しかも、構成は、ミッションケース１とは別に刈取入力軸１３にのみ刈取変速装置１５を設けるものであるから簡単化することができる。
【０００６】
また、外側の分草杆４４の内側に案内される穀稈の株元部は、この分草杆４４の内側面に案内されて、刈刃装置の切断作用圏内へ案内される。このように、分草杆４４の形状のみで穀稈を刈刃装置５の刈幅内へ案内するため、穀稈案内が円滑であり、構成を簡単化できる。
【０００７】
また、摩耗防止線５１は、基端部をボルト５４でプラットホーム４５に固定して紐案内溝４６の上側縁部に沿わせ、プラットホーム４５の終端４８部には切欠部５６を形成して、摩耗防止線５１先端部４７を嵌合させて上下にずれないように構成している。よって、刈取結束作業開始時に予めニードル４１を通して引き出した紐端を、摩耗防止線５１の先端部４７とプラットホーム４５の終端４８との間に挾持させて保持させておくことによって、安全で、簡単な紐通し作業を行うことができる。
【発明の実施の形態】
【０００８】
刈取バインダは、前後中央部に走行車輪２を軸１７装し、この前側に穀稈引起装置３や刈取装置７、及び結束装置１１等を配置し、後側にエンジンＥやミッションケース１、及びループ状の操縦ハンドル１８等を配置する。
【０００９】
このうちミッションケース１は、エンジンボディの前側に一体的に連結し、内部には主クラッチ１９や、変速伝動機構１６、及び刈取クラッチ２０等が設けられ、刈取クラッチ２０によって刈取出力軸１４へ伝動することができる。この変速伝動機構１６は一速、二速、三速とし、又、車輪２側への伝動系路にはバックギヤ２１が設けられていて、前後進切替ギヤ２２によって切替えて噛合伝動される。２３はミッションケース１に対して上下回動調節可能に設けられる車輪伝動ケースで、下端部に前記車軸１７が軸架されている。
【００１０】
前記ミッションケース１の前端からパイプフレーム２４を介在させて変速伝動ケース２５を連結し、車輪２の前部下側に位置する刈取伝動ケース２６との間を伝動ケース２７で連結し、前記ミッションケース１の出力軸１４は、この変速伝動ケース２５内の刈取変速装置１５、及び変速軸２９から伝動ケース２７内を経て刈取伝動ケース２６内の刈取入力軸１３に亘って伝動する。
【００１１】
前記刈取変速装置１５は、出力軸１４上の切替ギヤ２８を、入力軸１３側の変速軸２９上のギヤ３０に直接噛合させることによって、該入力軸１３を標準の刈取速として設定している。又、この切替ギヤ２８をカウンタギヤ３１に噛合させることによって入力軸１３を標準速よりも高速に伝動している。これら変速軸２９及び入力軸１３の標準速では倒伏していない穀稈の刈取に適した伝動速とし、高速では倒伏している穀稈の刈取に適した伝動速としている。３２は切替レバーで、該切替ギヤ２８の変速を操作するものである。
【００１２】
穀稈引起ケース３３は前記伝動ケース２７の前方に配置されて、内部に張設される引起チェン３４を引起軸４で伝動する。この引起軸４は該伝動ケース２７内から連動する。引起チェン３４には引起ラグ３５が一定間隔に設けられ、穀稈案内通路側に突出して、穀稈を係合しながら一定の姿勢に引き起すものである。
【００１３】
前記刈取伝動ケース２６には、入力軸１３からチェン伝動される刈刃軸６及びパッカ軸１０が設けられ、刈刃軸６はこの刈取伝動ケース２６前端に設けられるバリカン形態の刈刃装置５を駆動する。又、パッカ軸１０は、刈取伝動ケース２６の一側に設けられる結束伝動ケース３６上方においてパッカー９を有する。このパッカ軸１０からは掻込軸８及び結束軸１２を伝動する。
【００１４】
掻込軸８は、前記刈刃装置５によって刈取られる穀稈を結束伝動ケース３６上の結束部３８へ掻き込む掻込チェン乃至スターホイル３９等からなる掻込装置７を伝動する。又、パッカ軸１０は、パッカー９を駆動して、このスターホイル３９で掻込まれる穀稈を結束部３８に対して圧送する。結束軸１２は、集束穀稈の圧力を受けるＴ突起４０の作動で、この結束部３８に圧縮された穀稈を結束するニードル４１や、ビル、ホルダー等からなる結節装置４２を作動させ、結束穀稈を外方へ放出する放出アーム４３等を伝動する。
【００１５】
図５において、上例と異なる点は、前記結束伝動ケース３６とは反対の側の分草杆４４を刈取伝動ケース２６の横端部から前方側方へ向けて斜めの角度θに突出させるように形成して、刈刃装置５の横端部の下面を通り前方へ突出する構成としている。このため、この外側の分草杆４４の内側に案内される穀稈の株元部Ａは、この分草杆４４の内側面に案内Ｂされて、刈刃装置の切断作用圏内へ案内される。分草杆４４の形状のみで穀稈を刈刃装置５の刈幅内へ案内するため、穀稈案内が円滑であり、構成を簡単化できる。
【００１６】
図６〜図９において、結束作業開始時に結節装置４２の結束紐４９の紐端５０を保持させるために、プラットホーム４５の結束紐案内溝４６に沿って設けられる摩耗防止線５１をピアノ線の如き弾性線によって構成し、この摩耗防止線５１の先端部４７を該プラットホーム４５終端４８の内側へ曲げて自由端とし、刈取結束作業開始時に予めニードル４１を通して引き出した紐端５０を、この摩耗防止線５１の先端部４７とプラットホーム４５の終端４８との間に挾持させて保持させておくことによって、安全で、簡単な紐通し作業を行うことができる。
【００１７】
結束部３８の前記パッカ９側には、集束穀稈に結束紐４９を巻きつけるニードル４１が設けられ、この反対側の前側にプラットホーム４５と、このプラットホーム４５で覆われる結節装置４２とが設けられる。結節装置４２は、前記ニードル４１によって紐案内溝４６を通して挿込まれる結束紐４９を保持する紐ホルダー５２や、結束紐４９の紐端を切断する紐カッター等、更に、結束紐４９の両端部を合せて結節するビル５３等を有する。
【００１８】
前記摩耗防止線５１は、基端部をボルト５４で、プラットホーム４５の終端部側に固定して、紐案内溝４６の上側縁部に沿わせている。５５はこの紐案内溝４６の下側縁部から上方へ突出する紐案内突子である。プラットホーム４５の終端４８部には切欠部５６を形成して、前記摩耗防止線５１先端部４７を嵌合させて上下にずれないように構成している。
【００１９】
刈取作業開始時には、まず作業者が、紐端５０をニードル４１に通してからプラットホーム４５の終端４８において摩耗防止線５１の先端部４７に係止させておき、次にＴ突起４０を手で回動させて結束クラッチ（図面省略）を入りの状態にしておく。次に作業者は、結束装置１１から離れて、操縦ハンドル１８部における刈取クラッチレバーを操作することにより、前記刈取クラッチ２０を入りにすることによって、刈取入力軸１３が伝動されて、結束装置の伝動が行われ、この結果、ニードル４１による結束紐４９は、紐端４７を摩耗防止線５１の先端部４７に保持させた状態から、紐案内溝４６を通して結節部４２に挿込まれて、この紐案内溝４６を通った結束紐４９は紐ホルダー５２に保持される。これによって刈取結束作用を行うことができる。
【００２０】
このようにして紐ホルダー５２によって保持された結束紐４９の先端部は、紐カッターによって切断されるが、前記結束開始前に摩耗防止線５１の先端部４７で保持された紐端５０は、この保持が外れない限りそのまま残ることがある。
【図面の簡単な説明】
【図１】伝動機構図。
【図２】その一部の平面図。
【図３】バインダの平面図。
【図４】その側面図。
【図５】一部別実施例を示す平面図。
【図６】結束装置のプラットホ−ム部の斜視図と、その一部の拡大図。
【図７】そのプラットホ−ム部の背面図と、その側面図。
【図８】結節装置部の平面図。
【図９】結束装置部の平面図。
【符号の説明】
１  ミッションケース
２  走行車輪
３  穀稈引起装置
４  引起軸
５  刈刃装置
６  刈刃軸
７  刈取穀稈掻込装置
８  掻込軸
９  穀稈集束パッカ
１０  パッカ軸
１１  結束装置
１２  結束軸
１３  刈取入力軸
１４  出力軸
１５  刈取変速装置
１６  変速伝動機構
２４ パイプフレ−ム
２５ 変速伝動ケ−ス
２６ 刈取伝動ケ−ス
２７ 伝動ケ−ス
３６ 結束伝動ケ−ス
３８ 結束部
４１ ニ−ドル
４２ 結束装置
４４ 分草杆
４５ プラットホ−ム
４６ 結束紐案内溝
４７ 先端部
４８ 終端
４９ 結束紐
５１ 摩耗防止線
５４ ボルト
５６ 切欠部
θ 角度
Ｅ  エンジン
【図１】
0003543164.tif 000002
【図２】
0003543164.tif 000003
【図３】
0003543164.tif 000004
【図４】
0003543164.tif 000005
【図５】
0003543164.tif 000006
【図６】
0003543164.tif 000007
【図７】
0003543164.tif 000008
【図８】
0003543164.tif 000009
【図９】
0003543164.tif 000010